(57)【要約】【課題】複数チャネルの出力電圧を出力するＤＣ−ＤＣコンバータにおいて、各出力電圧のソフトスタート時間を精度よく設定することができる制御回路を提供する。【解決手段】ＤＣ−ＤＣコンバータ１は、制御回路４と複数のコンバータ部５ａ，５ｂ，５ｃとを備え、入力電圧を変換して出力電圧Ｖｏ１，Ｖｏ２，Ｖｏ３を出力する。制御回路４は、容量Ｃが接続される接続端子１３と、容量Ｃに充電電流を供給するための定電流源６と、容量Ｃの充電電圧を入力するバッファ１７と、バッファ１７の出力電圧を分圧する分圧抵抗Ｒとを備える。制御回路４は、各抵抗Ｒにおける端子電圧を複数のソフトスタート信号として用い、該各ソフトスタート信号に基づいて、出力電圧Ｖｏ１，Ｖｏ２，Ｖｏ３を徐々に上昇させる。【選択図】        図１
2004173386.tif 000002
【特許請求の範囲】
【請求項１】
直流電圧である入力電圧を変換して電圧値の異なる出力電圧を出力するコンバータ部を複数備えたＤＣ−ＤＣコンバータの制御回路であって、
前記ＤＣ−ＤＣコンバータは、起動時において容量を定電流で充電し、その容量の充電電圧に応じたソフトスタート信号により、前記出力電圧を徐々に上昇させるソフトスタート機能を有するものであり、
前記容量が接続される容量接続端子と、
前記容量接続端子に接続され、前記容量に充電電流を供給するための定電流源と、
前記容量接続端子に接続され、前記容量の充電電圧、あるいは該充電電圧の分圧値に応じて複数のソフトスタート信号を生成する信号生成手段と
を備えたことを特徴とする制御回路。
【請求項２】
前記ＤＣ−ＤＣコンバータは、第１出力電圧を出力する第１コンバータ部と、該第１出力電圧よりも高い第２出力電圧を出力する第２コンバータ部とを有し、
前記信号生成手段は、前記容量の充電電圧を入力するバッファと、該バッファの出力電圧を分圧する分圧抵抗とからなり、
前記第１出力電圧に応じた入力信号が入力されるとともに、前記バッファの出力が第１のソフトスタート信号として入力され、それら信号の電圧差を増幅して出力する第１の誤差増幅器と、
前記第２出力電圧に応じた入力信号が入力されるとともに、前記バッファの出力を前記分圧抵抗により分圧した分圧電圧が第２のソフトスタート信号として入力され、それら信号の電圧差を増幅して出力する第２の誤差増幅器と
を備えたことを特徴とする請求項１に記載の制御回路。
【請求項３】
前記ＤＣ−ＤＣコンバータは、第１出力電圧を出力する第１コンバータ部と、該第１出力電圧よりも高い第２出力電圧を出力する第２コンバータ部とを有し、
前記信号生成手段は、前記容量の充電電圧を入力するバッファと、該バッファの出力電圧を分圧する分圧抵抗とからなり、
前記第１出力電圧に応じた入力信号が入力されるとともに、前記バッファの出力を前記分圧抵抗により分圧した分圧電圧が第１ソフトスタート信号として入力され、それら信号の電圧差を増幅して出力する第１の誤差増幅器と、
前記第２出力電圧に応じた入力信号が入力されるとともに、前記バッファの出力が第２のソフトスタート信号として入力され、それら信号の電圧差を増幅して出力する第２の誤差増幅器と
を備えたことを特徴とする請求項１に記載の制御回路。
【請求項４】
前記ＤＣ−ＤＣコンバータは、第１出力電圧を出力する第１コンバータ部と、該第１出力電圧よりも高い第２出力電圧を出力する第２コンバータ部とを有し、
前記信号生成手段は、前記容量の充電電圧を入力するバッファと、該バッファの出力電圧を分圧して第１及び第２分圧電圧を生成する分圧抵抗とからなり、
前記第１出力電圧に応じた入力信号が入力されるとともに、前記分圧抵抗による第１分圧電圧が第１ソフトスタート信号として入力され、それら信号の電圧差を増幅して出力する第１の誤差増幅器と、
前記第２出力電圧に応じた入力信号が入力されるとともに、前記分圧抵抗による第２分圧電圧が第２のソフトスタート信号として入力され、それら信号の電圧差を増幅して出力する第２の誤差増幅器と
を備えたことを特徴とする請求項１に記載の制御回路。
【請求項５】
直流電圧である入力電圧を変換して第１出力電圧を出力する第１コンバータ部と、
前記入力電圧を変換して第１出力電圧よりも高い第２出力電圧を出力する第２コンバータ部と、
容量を定電流で充電し、その容量の充電電圧に応じたソフトスタート信号に基づいて、前記第１及び第２出力電圧を徐々に上昇させる制御回路と
を備えるＤＣ−ＤＣコンバータであって、
前記制御回路は、
前記容量が接続される容量接続端子と、
前記容量接続端子に接続され、前記容量に充電電流を供給するための定電流源と、
前記容量接続端子に接続され、前記容量の充電電圧を入力するバッファと、
前記第１出力電圧に応じた入力信号が入力されるとともに、前記バッファの出力が第１のソフトスタート信号として入力され、それら信号の電圧差を増幅して出力する第１の誤差増幅器と、
前記第２出力電圧に応じた入力信号が入力されるとともに、前記バッファの出力を分圧抵抗により分圧した分圧電圧が第２のソフトスタート信号として入力され、それら信号の電圧差を増幅して出力する第２の誤差増幅器と
を備えたことを特徴とするＤＣ−ＤＣコンバータ。
【請求項６】
直流電圧である入力電圧を変換して第１出力電圧を出力する第１コンバータ部と、
前記入力電圧を変換して第１出力電圧よりも高い第２出力電圧を出力する第２コンバータ部と、
容量を定電流で充電し、その容量の充電電圧に応じたソフトスタート信号に基づいて、前記第１及び第２出力電圧を徐々に上昇させる制御回路と
を備えるＤＣ−ＤＣコンバータであって、
前記制御回路は、
前記容量が接続される容量接続端子と、
前記容量接続端子に接続され、前記容量に充電電流を供給するための定電流源と、
前記容量接続端子に接続され、前記容量の充電電圧を入力するバッファと、
前記第１出力電圧に応じた入力信号が入力されるとともに、前記バッファの出力を分圧抵抗により分圧した分圧電圧が第１のソフトスタート信号として入力され、それら信号の電圧差を増幅して出力する第１の誤差増幅器と、
前記第２出力電圧に応じた入力信号が入力されるとともに、前記バッファの出力が第２のソフトスタート信号として入力され、それら信号の電圧差を増幅して出力する第２の誤差増幅器と
を備えたことを特徴とするＤＣ−ＤＣコンバータ。
【請求項７】
前記バッファの出力電圧を分圧する分圧抵抗を前記制御回路に内蔵したことを特徴とする請求項５又は６に記載のＤＣ−ＤＣコンバータ。
【請求項８】
前記バッファの出力電圧を分圧する分圧抵抗を前記制御回路の外部に設けたことを特徴とする請求項５又は６に記載のＤＣ−ＤＣコンバータ。
【請求項９】
直流電圧である入力電圧を変換して電圧値の異なる出力電圧を出力するＤＣ−ＤＣコンバータであって、
容量を定電流で充電し、その容量の充電電圧に応じたソフトスタート信号に基づいて、前記各出力電圧を徐々に上昇させる制御回路を備え、
該制御回路は、
前記容量が接続される容量接続端子と、
前記容量接続端子に接続され、前記容量に充電電流を供給するための定電流源と、
前記容量接続端子に接続され、前記容量の充電電圧、あるいは該充電電圧の分圧値に応じて複数のソフトスタート信号を生成する信号生成手段と
を備えたことを特徴とするＤＣ−ＤＣコンバータ。
【請求項１０】
直流電圧である入力電圧を変換して電圧値の異なる出力電圧を出力するＤＣ−ＤＣコンバータと、該ＤＣ−ＤＣコンバータの各出力電圧により動作する複数の内部回路とを搭載した電子機器であって、
前記ＤＣ−ＤＣコンバータは、容量を定電流で充電し、その容量の充電電圧に応じたソフトスタート信号に基づいて、前記各出力電圧を徐々に上昇させる制御回路を備え、
該制御回路は、
前記容量が接続される容量接続端子と、
前記容量接続端子に接続され、前記容量に充電電流を供給するための定電流源と、
前記容量接続端子に接続され、前記容量の充電電圧、あるいは該充電電圧の分圧値に応じて複数のソフトスタート信号を生成する信号生成手段と
を備えたことを特徴とする電子機器。
【発明の詳細な説明】
【０００１】
【発明の属する技術分野】
本発明は、ソフトスタート機能を有するＤＣ−ＤＣコンバータの制御回路、ＤＣ−ＤＣコンバータ及び電子機器に関するものである。
【０００２】
ディジタルスチルカメラやゲーム機器等の電子機器には、各種の動作電圧を生成するためのＤＣ−ＤＣコンバータが搭載されている。近年の電子機器は、高性能化，小型化がますます進展しており、それに内蔵されるＤＣ−ＤＣコンバータにおいても多チャネル化や小型化が要求されている。
【０００３】
【従来の技術】
従来、ＤＣ−ＤＣコンバータには、出力電圧を徐々に上昇させるためのソフトスタート回路を有するものがある（例えば、特許文献１参照）。電子機器の起動時において、ＤＣ−ＤＣコンバータの出力電圧を徐々に上昇させることにより、その出力電圧のオーバシュートが防止され電子機器の誤動作が防止される。
【０００４】
図６は、ソフトスタート回路を有する複数チャネルのＤＣ−ＤＣコンバータ１の従来例を示す。なお、図６では、第１チャネル（ＣＨ１）及び第２チャネル（ＣＨ２）の回路構成を示し、他のチャネルの回路構成は省略している。
【０００５】
ＤＣ−ＤＣコンバータ１は、複数の内部回路２ａ，２ｂやバッテリ３等を備えた電子機器に内蔵される。ＤＣ−ＤＣコンバータ１は、バッテリ３から供給される直流電圧（入力電圧）ＶＩＮを所定の電圧値に変換し、その変換した電圧Ｖｏ１，Ｖｏ２を各内部回路２ａ，２ｂに供給する。
【０００６】
ＤＣ−ＤＣコンバータ１は、１チップの半導体集積回路装置上に搭載された制御回路４と、複数の外付け素子とから構成される。
制御回路４の第１出力信号ＯＵＴ１は、ＰＭＯＳトランジスタで構成される第１スイッチングトランジスタＴ１のゲートに供給されており、第１スイッチングトランジスタＴ１のスイッチング動作を制御する。第１スイッチングトランジスタＴ１のソースには、バッテリ３から直流電圧ＶＩＮが供給され、そのトランジスタＴ１のドレインは、出力コイルＬ１を介して第１出力端子１ａに接続される。
【０００７】
第１スイッチングトランジスタＴ１のスイッチング動作に基づいて、第１出力端子１ａから第１出力電圧Ｖｏ１が出力され、該第１出力電圧Ｖｏ１は、第１内部回路２ａにその動作電圧として供給される。
【０００８】
また、第１スイッチングトランジスタＴ１のドレインは、フライホイールダイオードＤ１のカソードに接続され、フライホイールダイオードＤ１のアノードはグランドに接続される。出力コイルＬ１と第１出力端子１ａとの接続点は、容量Ｃ１を介してグランドに接続されている。この容量Ｃ１と出力コイルＬ１とで第１出力電圧Ｖｏ１を平滑化する平滑回路が構成される。
【０００９】
制御回路４の第２出力信号ＯＵＴ２は、ＰＭＯＳトランジスタで構成される第２スイッチングトランジスタＴ２のゲートに供給されており、第２スイッチングトランジスタＴ２のスイッチング動作を制御する。第２スイッチングトランジスタＴ２のソースには、バッテリ３から直流電圧ＶＩＮが供給され、そのトランジスタＴ２のドレインは、出力コイルＬ２を介して第２出力端子１ｂに接続される。
【００１０】
第２スイッチングトランジスタＴ２のスイッチング動作に基づいて、第２出力端子１ｂから第２出力電圧Ｖｏ２が出力され、該第２出力電圧Ｖｏ２は、第２内部回路２ｂにその動作電圧として供給される。
【００１１】
また、第２スイッチングトランジスタＴ２のドレインは、フライホイールダイオードＤ２のカソードに接続され、フライホイールダイオードＤ２のアノードはグランドに接続される。出力コイルＬ２と第２出力端子１ｂとの接続点は、容量Ｃ２を介してグランドに接続されている。この容量Ｃ２と出力コイルＬ２とで第２出力電圧Ｖｏ２を平滑化する平滑回路が構成される。
【００１２】
なお、ＤＣ−ＤＣコンバータ１において、スイッチングトランジスタＴ１、出力コイルＬ１、ダイオードＤ１、容量Ｃ１により第１のコンバータ部５ａが構成され、スイッチングトランジスタＴ２、出力コイルＬ２、ダイオードＤ２、容量Ｃ２により第２のコンバータ部５ｂが構成されている。
【００１３】
制御回路４は、第１〜第４の抵抗Ｒ１〜Ｒ４、第１及び第２の定電流源６ａ，６ｂ、第１及び第２の誤差増幅器７ａ，７ｂ、第１及び第２のＰＷＭ比較器８ａ，８ｂ、第１及び第２のバッファ（インバータ回路）９ａ，９ｂを含む。
【００１４】
制御回路４において、第１及び第２の抵抗Ｒ１，Ｒ２、第１の定電流源６ａ、第１の誤差増幅器７ａ、第１のＰＷＭ比較器８ａ、及び第１のバッファ９ａにより第１チャネル（ＣＨ１）用の第１制御部４ａが構成される。また、第３及び第４の抵抗Ｒ３，Ｒ４、第２の定電流源６ｂ、第２の誤差増幅器７ｂ、第２のＰＷＭ比較器８ｂ、及びバッファ９ｂにより第２チャネル（ＣＨ２）用の第２制御部４ｂが構成される。
【００１５】
制御回路４には、外付け素子を接続するための複数の接続端子１１ａ〜１５ａ，１１ｂ〜１５ｂが形成されている。
接続端子１１ａは、出力コイルＬ１と第１出力端子１ａとの接続点に接続されており、該接続端子１１ａには第１出力電圧Ｖｏ１が入力される。接続端子１１ｂは、出力コイルＬ２と第２出力端子１ｂとの接続点に接続されており、該接続端子１１ｂには、第２出力電圧Ｖｏ２が入力される。
【００１６】
接続端子１２ａと接続端子１４ａとの間には、第１の誤差増幅器７ａの発振を防止するための位相補償用の回路（容量及び抵抗の直列回路）１６ａが接続され、同様に、接続端子１２ｂと接続端子１４ｂとの間には、第２の誤差増幅器７ｂの発振を防止するための位相補償用の回路１６ｂが接続されている。
【００１７】
また、接続端子１３ａは容量Ｃａを介してグランドに接続され、接続端子１３ｂは容量Ｃｂを介してグランドに接続されている。これら容量Ｃａ，Ｃｂは、起動時において、制御回路４により定電流で充電される。そして、その充電電圧に応じて制御回路４の出力信号ＯＵＴ１，ＯＵＴ２が調節されることにより、ＤＣ−ＤＣコンバータ１の各出力電圧Ｖｏ１，Ｖｏ２が徐々に上昇されるようになっている。
【００１８】
詳述すると、制御回路４内において、接続端子１１ａとグランド間には、第１及び第２の抵抗Ｒ１，Ｒ２が直列接続されている。抵抗Ｒ１と抵抗Ｒ２との接続点（分圧点）は第１の誤差増幅器７ａの反転入力端子に接続され、その反転入力端子には接続端子１１ａから入力される第１出力電圧Ｖｏ１に応じた分圧電圧が入力される。また、接続端子１２ａは抵抗Ｒ１と抵抗Ｒ２との接続点に接続され、接続端子１４ａは誤差増幅器７ａの出力端子に接続されている。
【００１９】
接続端子１３ａは第１の定電流源６ａと接続されている。その定電流源６ａから流れる定電流Ｉｃｓ１によって容量Ｃａが充電される。また、接続端子１３ａは、第１の誤差増幅器７ａの第１非反転入力端子に接続されており、その第１非反転入力端子には容量Ｃａの充電電圧Ｖｃ１が入力される。さらに、第１の誤差増幅器７ａの第２非反転入力端子には基準電圧ＶＲが入力される。
【００２０】
第１の誤差増幅器７ａは、第１及び第２非反転入力端子のうちの低い方の入力電圧と反転入力端子の入力電圧との差を増幅して出力する。すなわち、容量Ｃａの充電電圧Ｖｃ１が基準電圧ＶＲよりも低い場合、第１の誤差増幅器７ａは充電電圧Ｖｃ１と抵抗Ｒ１，Ｒ２による分圧電圧とを比較し、その電圧差を増幅して出力する。一方、容量Ｃａの充電電圧Ｖｃ１が基準電圧ＶＲよりも高い場合には、第１の誤差増幅器７ａは基準電圧ＶＲと抵抗Ｒ１，Ｒ２による分圧電圧とを比較し、その電圧差を増幅して出力する。
【００２１】
第１の誤差増幅器７ａの出力信号ＦＢ１は、第１のＰＷＭ比較器８ａの非反転入力端子に入力され、該ＰＷＭ比較器８ａの反転入力端子には、所定周期を持つ三角波信号ＣＴが入力される。なお、この三角波信号ＣＴは図示しない発振器により生成される。
【００２２】
第１のＰＷＭ比較器８ａは、誤差増幅器７ａの出力信号ＦＢ１と三角波信号ＣＴとを比較し、その比較結果に基づき所定デューティ比の出力信号を出力する。その出力信号は、バッファ９ａを介して反転され、接続端子１５ａから第１出力信号ＯＵＴ１として出力される。
【００２３】
接続端子１１ｂとグランド間には、第３及び第４の抵抗Ｒ３，Ｒ４が直列接続されている。抵抗Ｒ３と抵抗Ｒ４との接続点（分圧点）は第２の誤差増幅器７ｂの反転入力端子に接続され、その反転入力端子には接続端子１１ｂから入力される第２出力電圧Ｖｏ２に応じた分圧電圧が入力される。また、接続端子１２ｂは抵抗Ｒ３と抵抗Ｒ４との接続点に接続され、接続端子１４ｂは誤差増幅器７ｂの出力端子に接続されている。
【００２４】
接続端子１３ｂは第２の定電流源６ｂと接続されている。その定電流源６ｂから流れる定電流Ｉｃｓ２によって容量Ｃｂが充電される。また、接続端子１３ｂは、第２の誤差増幅器７ｂの第１非反転入力端子に接続されており、その第１非反転入力端子には容量Ｃｂの充電電圧Ｖｃ２が入力される。さらに、第２の誤差増幅器７ｂの第２非反転入力端子には基準電圧ＶＲが入力される。
【００２５】
第２の誤差増幅器７ｂは、第１及び第２非反転入力端子のうちの低い方の入力電圧と反転入力端子の入力電圧との差を増幅して出力する。
第２の誤差増幅器７ｂの出力信号ＦＢ２は、第２のＰＷＭ比較器８ｂの非反転入力端子に入力され、該ＰＷＭ比較器８ｂの反転入力端子には、所定周期を持つ三角波信号ＣＴが入力される。
【００２６】
第２のＰＷＭ比較器８ｂは、誤差増幅器７ｂの出力信号ＦＢ２と三角波信号ＣＴとを比較し、その比較結果に基づき所定デューティ比の出力信号を出力する。その出力信号は、バッファ９ｂを介して反転され、接続端子１５ｂから第２出力信号ＯＵＴ２として出力される。
【００２７】
次に、ＤＣ−ＤＣコンバータ１の動作について図７を用いて説明する。同図においては、バッテリ３から供給される直流電圧ＶＩＮ、基準電圧ＶＲ、容量Ｃａの充電電圧Ｖｃ１、三角波信号ＣＴ、第１の誤差増幅器７ａの出力信号ＦＢ１、第１出力信号ＯＵＴ１、第１出力電圧Ｖｏ１を示している。
【００２８】
ＤＣ−ＤＣコンバータ１の起動時（時刻ｔ１）には、第１の定電流源６ａから流れる定電流Ｉｃｓ１により容量Ｃａが充電され、それに伴い容量Ｃａの充電電圧Ｖｃ１は徐々に上昇する。ここで、容量Ｃａの充電電圧Ｖｃ１が基準電圧ＶＲよりも低い場合（時刻ｔ１〜時刻ｔ２の期間）において、第１の誤差増幅器７ａは、容量Ｃａの充電電圧Ｖｃ１と第１出力電圧Ｖｏ１に応じた電圧（抵抗Ｒ１，Ｒ２による分圧電圧）とを比較し、その電圧差を増幅して出力する。
【００２９】
電圧差が大きいと誤差増幅器７ａの出力信号ＦＢの電圧値は増大する。そして、出力信号ＦＢが三角波信号ＣＴの電圧値よりも高くなると、第１のＰＷＭ比較器８ａの出力がＨレベルになり、その出力がバッファ９ａにて反転されて出力信号ＯＵＴ１はＬレベルになる。一方、出力信号ＦＢが三角波信号ＣＴの電圧値よりも低くなると、第１のＰＷＭ比較器８ａの出力がＬレベルになり、出力信号ＯＵＴ１はＨレベルになる。
【００３０】
このように、容量Ｃａの充電電圧Ｖｃ１が基準電圧ＶＲに達するまでの期間（ｔ１〜ｔ２）では、容量Ｃａの充電電圧Ｖｃ１に応じて出力信号ＯＵＴ１のデューティ比（オン時間とオフ時間との比）が調節される。そして、その出力信号ＯＵＴ１により第１スイッチングトランジスタＴ１がオン・オフ制御され、出力電圧Ｖｏ１が徐々に上昇される。
【００３１】
また、容量Ｃａの充電電圧Ｖｃ１が上昇し、時刻ｔ２において基準電圧ＶＲよりも高くなると、第１の誤差増幅器７ａは、第１出力電圧Ｖｏ１に応じた分圧電圧と基準電圧ＶＲとを比較し、その差を増幅した出力信号ＦＢ１を出力する。第１のＰＷＭ比較器８ａでは、その出力信号ＦＢ１と三角波信号ＣＴとが比較され、その比較結果に応じた出力信号ＯＵＴ１がバッファ９ａを介して出力される。
【００３２】
従って、時刻ｔ２以降では、基準電圧ＶＲに応じて出力信号ＯＵＴ１のデューティ比が調節され、その出力信号ＯＵＴ１により第１スイッチングトランジスタＴ１がオン・オフ制御される。これにより、第１出力電圧Ｖｏ１が基準電圧ＶＲに応じた定電圧で制御される。
【００３３】
また、第２出力電圧Ｖｏ２も、第１出力電圧Ｖｏ１と同様に、容量Ｃｂの充電電圧Ｖｃ２が基準電圧ＶＲに達するまでの期間においてその充電電圧Ｖｃ２に基づいて徐々に上昇された後、基準電圧ＶＲに応じた定電圧で制御される。
【００３４】
なお、第１出力電圧Ｖｏ１の電圧値は、第１及び第２の抵抗Ｒ１，Ｒ２の抵抗値と基準電圧ＶＲとに基づき設定され、第２出力電圧Ｖｏ２の電圧値は、第３及び第４の抵抗Ｒ３，Ｒ４の抵抗値と基準電圧ＶＲとに基づき設定されている。また、ＤＣ−ＤＣコンバータ１では、第１出力電圧Ｖｏ１よりも第２出力電圧Ｖｏ２が高くなるよう各抵抗値が設定されている。
【００３５】
上述したように、ＤＣ−ＤＣコンバータ１において、容量Ｃａ，Ｃｂとそれを充電する定電流源６ａ，６ｂとによりソフトスタート回路が構成されている。そして、外付け素子である各容量Ｃａ，Ｃｂの容量値に応じて各出力電圧Ｖｏ１，Ｖｏ２のソフトスタート時間が設定される。
【００３６】
具体的には、ＤＣ−ＤＣコンバータ１において、第１及び第２出力電圧Ｖｏ１，Ｖｏ２のソフトスタート時間ｔｃｓ１，ｔｃｓ２は、次式により表される。
【００３７】
【数１】
2004173386.tif 000003
ここで、ＶＲは基準電圧、Ｃｓ１は容量Ｃａの容量値、Ｃｓ２は容量Ｃｂの容量値、Ｉｃｓ１は第１の定電流源６ａの電流値、Ｉｃｓ２は第２の定電流源６ｂの電流値である。
【００３８】
【特許文献１】
特開平９−１５４２７５号公報
【００３９】
【発明が解決しようとする課題】
ところで、第１出力電圧Ｖｏ１のソフトスタート時間ｔｃｓ１と第２出力電圧Ｖｏ２のソフトスタート時間ｔｃｓ２に所定の関係を持たせる場合、例えば、図８に示すように、各出力電圧Ｖｏ１，Ｖｏ２のスロープを同一にする場合、定電流や容量値のバラツキにより制御精度が悪化する。つまり、図６のＤＣ−ＤＣコンバータ１では、チャネル毎の容量Ｃａ，Ｃｂや定電流源６ａ，６ｂがバラツキ要因になり、各出力電圧Ｖｏ１，Ｖｏ２のソフトスタート時間ｔｃｓ１，ｔｃｓ２の精度が悪化してしまう。
【００４０】
本発明は上記問題点を解決するためになされたものであって、その目的は、各出力電圧のソフトスタート時間を高精度に設定することができる制御回路、ＤＣ−ＤＣコンバータ及び電子機器を提供することにある。
【００４１】
【課題を解決するための手段】
図１は請求項１の原理説明図である。すなわち、ＤＣ−ＤＣコンバータ１は、複数のコンバータ部５ａ，５ｂ，５ｃと、それらコンバータ部を制御する制御回路４とを備える。各コンバータ部５ａ，５ｂ，５ｃは、入力電圧を変換して電圧値の異なる出力電圧Ｖｏ１，Ｖｏ２，Ｖｏ３を出力する。制御回路４は、容量Ｃが接続される容量接続端子１３と、前記容量接続端子１３に接続され、前記容量Ｃに充電電流を供給するための定電流源６と、前記容量接続端子１３に接続される信号生成手段とを備える。信号生成手段は、前記容量Ｃの充電電圧を入力するバッファ１７と、前記バッファ１７の出力電圧を分圧する複数の分圧抵抗Ｒとにより構成される。ＤＣ−ＤＣコンバータ１の起動時には、容量Ｃが定電流で充電され、その容量Ｃの充電電圧がバッファ１７を介して各分圧抵抗Ｒに供給される。制御回路４は、各分圧抵抗Ｒにおける端子電圧を複数のソフトスタート信号として用い、該各ソフトスタート信号によって、前記出力電圧Ｖｏ１，Ｖｏ２，Ｖｏ３を徐々に上昇させる。
【００４２】
【発明の実施の形態】
（第一の実施の形態）
図２は、この発明を具体化したＤＣ−ＤＣコンバータ１の第一の実施の形態を示す。本実施の形態は、前記従来例の制御回路４の回路構成を一部変更したものであり、他の同一構成部分は同一符号を付して詳細な説明を省略する。
【００４３】
本実施の形態において、２チャネルＤＣ−ＤＣコンバータ１に具体化しており、このＤＣ−ＤＣコンバータ１は、第１及び第２内部回路２ａ，２ｂやバッテリ３を備えた電子機器に搭載されている。該ＤＣ−ＤＣコンバータ１は、従来例と同様に、スイッチングトランジスタＴ１、出力コイルＬ１、ダイオードＤ１、容量Ｃ１により第１のコンバータ部５ａが構成され、スイッチングトランジスタＴ２、出力コイルＬ２、ダイオードＤ２、容量Ｃ２により第２のコンバータ部５ｂが構成されている。
【００４４】
また、制御回路４は、第１〜第６の抵抗Ｒ１〜Ｒ６、定電流源６、第１及び第２の誤差増幅器７ａ，７ｂ、第１及び第２のＰＷＭ比較器８ａ，８ｂ、第１及び第２のバッファ９ａ，９ｂを備え、それらを１チップの半導体集積回路装置上に搭載してなる。
【００４５】
前記従来例の制御回路４では、各制御部４ａ，４ｂについて別々にソフトスタート回路（容量Ｃａ，Ｃｂ及び定電流源６ａ，６ｂ）が設けられていた。これに対し、本実施の形態の制御回路４では、ソフトスタート回路（容量Ｃ及び定電流源６）が共通化されている。
【００４６】
詳しくは、制御回路４の接続端子１３にソフトスタート用の容量Ｃが接続されている。接続端子１３は、制御回路４内において定電流源６と接続されている。その定電流源６から流れる定電流Ｉｃｓにより容量Ｃが充電される。
【００４７】
接続端子１３と定電流源６との間にはバッファ１７が接続され、該バッファ１７に容量Ｃの充電電圧Ｖｃが入力される。バッファ１７の出力は、直列接続された第５及び第６の抵抗Ｒ５，Ｒ６を介してグランドに接続されており、これら抵抗Ｒ５，Ｒ６により、バッファ１７から出力される充電電圧Ｖｃが分圧される。
【００４８】
バッファ１７の出力は第１の誤差増幅器７ａの第１非反転入力端子に接続され、該第１非反転入力端子にはバッファ１７の出力電圧（容量Ｃの充電電圧Ｖｃ）が第１ソフトスタート信号として入力される。また、第１の誤差増幅器７ａの第２非反転入力端子には基準電圧ＶＲが入力され、第１の誤差増幅器７ａの反転入力端子には抵抗Ｒ１，Ｒ２による分圧電圧が入力されている。
【００４９】
従って、起動時にてバッファ１７の出力電圧（容量Ｃの充電電圧Ｖｃ）が基準電圧ＶＲよりも低い場合、第１の誤差増幅器７ａは、そのバッファ１７の出力電圧と抵抗Ｒ１，Ｒ２による分圧電圧とを比較し、その電圧差を増幅して出力する。そして、第１のＰＷＭ比較器８ａは、誤差増幅器７ａの出力信号ＦＢ１と三角波信号ＣＴとを比較し、その比較結果に基づき所定デューティ比の出力信号を出力する。この出力信号に基づいて、第１スイッチングトランジスタＴ１がオン・オフ制御され、出力電圧Ｖｏ１が徐々に上昇される。
【００５０】
一方、抵抗Ｒ５，Ｒ６の接続点（分圧点）は第２の誤差増幅器７ｂの第１非反転入力端子に接続され、該第１非反転入力端子にはバッファ１７の出力電圧を分圧した分圧電圧が第２ソフトスタート信号として入力される。また、第２の誤差増幅器７ｂの第２非反転入力端子には基準電圧ＶＲが入力され、第２の誤差増幅器７ｂの反転入力端子には抵抗Ｒ３，Ｒ４による分圧電圧が入力されている。
【００５１】
従って、起動時にてバッファ１７の出力電圧の分圧電圧（抵抗Ｒ５，Ｒ６による分圧値）が基準電圧ＶＲよりも低い場合、第２の誤差増幅器７ｂは、その分圧電圧と抵抗Ｒ３，Ｒ４による分圧電圧とを比較し、その電圧差を増幅して出力する。そして、第２のＰＷＭ比較器８ｂは、誤差増幅器７ｂの出力信号ＦＢ２と三角波信号ＣＴとを比較し、その比較結果に基づき所定デューティ比の出力信号を出力する。この出力信号に基づいて、第２スイッチングトランジスタＴ２がオン・オフ制御され、出力電圧Ｖｏ２が徐々に上昇される。
【００５２】
本実施の形態のＤＣ−ＤＣコンバータ１において、各出力電圧Ｖｏ１，Ｖｏ２の立ち上がり特性に寄与する各内部回路２ａ，２ｂの負荷はほぼ同じである。そのため、起動時にて各出力電圧Ｖｏ１，Ｖｏ２のオーバシュートを発生させることなく迅速に各内部回路２ａ，２ｂを動作させるためには、図８に示すように、各出力電圧Ｖｏ１，Ｖｏ２のスロープを同一にする必要がある。この場合、次式の条件を満たすように抵抗Ｒ５，Ｒ６の抵抗値ｒ５，ｒ６が設定される。
【００５３】
【数２】
2004173386.tif 000004
また、第１出力電圧Ｖｏ１は抵抗Ｒ１，Ｒ２の抵抗値ｒ１，ｒ２と基準電圧ＶＲとで設定され、第２出力電圧Ｖｏ２は抵抗Ｒ３，Ｒ４の抵抗値ｒ３，ｒ４と基準電圧ＶＲとで設定される。そのため、各抵抗Ｒ１〜Ｒ６の抵抗値ｒ１〜ｒ６の関係は次式のように表される。
【００５４】
【数３】
2004173386.tif 000005
この場合、各出力電圧Ｖｏ１，Ｖｏ２のソフトスタート時間ｔｃｓ１，ｔｃｓ２は次式により求められる。
【００５５】
【数４】
2004173386.tif 000006
ここで、ＶＲは基準電圧、Ｃｓは容量Ｃの容量値、Ｉｃｓは定電流源６の電流値である。
【００５６】
このように、本実施の形態のＤＣ−ＤＣコンバータ１では、各出力電圧Ｖｏ１，Ｖｏ２のソフトスタート時間ｔｃｓ１，ｔｃｓ２を、共通の定電流Ｉｃｓ，容量値Ｃｓにより設定することができる。
【００５７】
以上記述したように、上記実施の形態によれば、下記の効果を奏する。
（１）ＤＣ−ＤＣコンバータ１において、ソフトスタート回路（定電流源６及び容量Ｃ）が共通化され、各出力電圧Ｖｏ１，Ｖｏ２のソフトスタート時間ｔｃｓ１，ｔｃｓ２が共通の定電流Ｉｃｓ，容量値Ｃｓにより設定される。この場合、チャネル毎に容量Ｃａ，Ｃｂや定電流源６ａ，６ｂを設けた従来技術と比較して、素子の共通化によりバラツキ要因が低減され、ソフトスタート時間ｔｃｓ１，ｔｃｓ２を高精度に設定することができる。なお、本実施の形態では、分圧抵抗Ｒ５、Ｒ６の抵抗値ｒ５，ｒ６もバラツキ要因になるが、容量及び定電流源を個別に設ける場合と比較して精度良くソフトスタート時間ｔｃｓ１，ｔｃｓ２を設定することができる。
【００５８】
（２）制御回路４において、ソフトスタート回路の共通化により、外付け素子である容量とその接続端子を削減できることから、部品点数が減りＤＣ−ＤＣコンバータ１の低コスト化を図ることができる。また、制御回路４のＩＣチップの小型化を図ることも可能となる。
【００５９】
（３）バッファ１７の出力電圧を第１のソフトスタート信号として第１の誤差増幅器７ａに入力し、バッファ１７の出力電圧を分圧抵抗Ｒ５，Ｒ６により分圧した分圧電圧を第２のソフトスタート信号として第２の誤差増幅器７ｂに入力した。この場合、図８のように、ソフトスタート時の各出力電圧Ｖｏ１，Ｖｏ２のスロープを同一にすることができるため、電子機器の起動時において各内部回路２ａ，２ｂを迅速に動作させることができる。
【００６０】
（第二の実施の形態）
図３は、第二の実施の形態を示す。
この実施の形態では、バッファ１７の出力が第２の誤差増幅器７ｂの第１非反転入力端子に接続され、抵抗Ｒ５，Ｒ６の接続点が第１の誤差増幅器７ａの第１非反転入力端子に接続される点が上記第一の実施の形態と異なる。
【００６１】
すなわち、本実施の形態における第１の誤差増幅器７ａの第１非反転入力端子には、バッファ１７の出力電圧を抵抗Ｒ５，Ｒ６により分圧した分圧電圧が第１のソフトスタート信号として入力される。また、第２の誤差増幅器７ｂの第１非反転入力端子には、バッファ１７の出力電圧が第２のソフトスタート信号として入力される。
【００６２】
この場合、各出力電圧Ｖｏ１，Ｖｏ２のソフトスタート時間ｔｃｓ１，ｔｃｓ２は、次式により求められる。
【００６３】
【数５】
2004173386.tif 000007
このＤＣ−ＤＣコンバータ１では、図４に示すように、第２出力電圧Ｖｏ２のソフトスタート時間ｔｃｓ２は、第１出力電圧Ｖｏ１のソフトスタート時間よりも短くなる。
【００６４】
本実施の形態の電子機器においては、各出力電圧Ｖｏ１，Ｖｏ２の立ち上がり特性に寄与する内部回路の負荷が異なり、第２出力電圧Ｖｏ２の方が第１出力電圧Ｖｏ１よりもオーバシュートし難くなっている。また、第１出力電圧Ｖｏ１よりも第２出力電圧Ｖｏ２を速く立ち上げることで、第２出力端子１ｂに接続される内部回路が第１出力端子１ａに接続される内部回路よりも先に動作する。このように、各内部回路の動作のタイミングを調整することにより電子機器の誤動作が防止される。
【００６５】
上記実施の形態によれば、下記の効果を奏する。
（１）各出力電圧Ｖｏ１，Ｖｏ２のソフトスタート時間ｔｃｓ１，ｔｃｓ２が共通の定電流Ｉｃｓ，容量値Ｃｓにより設定されるので、ソフトスタート時間ｔｃｓ１，ｔｃｓ２を高精度に設定することができる。また、ソフトスタート回路の共通化により部品点数を削減でき、ＤＣ−ＤＣコンバータ１の低コスト化や制御回路４の小型化を図ることができる。
【００６６】
（２）バッファ１７の出力を分圧抵抗Ｒ５，Ｒ６により分圧した分圧電圧を第１のソフトスタート信号として第１の誤差増幅器７ａに入力し、バッファ１７の出力を第２のソフトスタート信号として第２の誤差増幅器７ｂに入力した。この場合、図４のように、第１出力電圧Ｖｏ１のソフトスタート時間ｔｃｓ１よりも第２出力電圧Ｖｏ２のソフトスタート時間ｔｃｓ２を短くすることができ、電子機器を的確に動作させることができる。
【００６７】
（第三の実施の形態）
図５は、第三の実施の形態を示す。
この実施の形態は、第一の実施の形態において、制御回路４に内蔵していた各抵抗Ｒ１〜Ｒ６を制御回路４の外部に設けるようにしたものである。
【００６８】
図５に示すように、第１出力電圧Ｖｏ１を分圧する抵抗Ｒ１，Ｒ２の接続点（分圧点）が接続端子１２ａに接続されており、抵抗Ｒ１，Ｒ２による分圧電圧が接続端子１２ａを介して第１の誤差増幅器７ａの反転入力端子に入力される。また、第２出力電圧Ｖｏ２を分圧する抵抗Ｒ３，Ｒ４の接続点（分圧点）が接続端子１２ｂに接続されており、抵抗Ｒ３，Ｒ４による分圧電圧が接続端子１２ｂを介して第２の誤差増幅器７ｂの反転入力端子に入力される。
【００６９】
バッファ１７の出力は、第１の誤差増幅器７ａの第１非反転入力端子に接続されるとともに接続端子１８ａに接続されている。接続端子１８ａは、直列接続された抵抗Ｒ５，Ｒ６を介してグランドに接続されている。各抵抗Ｒ５，Ｒ６の接続点（分圧点）は接続端子１８ｂを介して第２の誤差増幅器７ｂの第１非反転入力端子に接続されている、
このように構成すると、第一の実施の形態と同様に、バッファ１７の出力電圧が第１のソフトスタート信号として第１の誤差増幅器７ａに入力され、該ソフトスタート信号により、第１出力電圧Ｖｏ１が徐々に上昇される。また、バッファ１７の出力電圧を分圧抵抗Ｒ５，Ｒ６により分圧した分圧電圧が第２のソフトスタート信号として第２の誤差増幅器７ｂに入力され、該ソフトスタート信号により、第２出力電圧Ｖｏ２が徐々に上昇される。
【００７０】
上記実施の形態によれば、下記の効果を奏する。
（１）各出力電圧Ｖｏ１，Ｖｏ２のソフトスタート時間ｔｃｓ１，ｔｃｓ２が共通の定電流Ｉｃｓ，容量値Ｃｓにより設定されるので、ソフトスタート時間ｔｃｓ１，ｔｃｓ２を高精度に設定することができる。
【００７１】
（２）第１〜第６の抵抗Ｒ１〜Ｒ６を制御回路４の外部に設けるようにしたので、抵抗Ｒ１〜Ｒ６の抵抗値ｒ１〜ｒ６を変更することにより、出力電圧Ｖｏ１，Ｖｏ２やソフトスタート時間ｔｃｓ１，ｔｃｓ２を所望の値に設定することができる。
【００７２】
（３）本実施の形態では、第一の実施の形態における接続端子１１ａ，１１ｂが削除され、接続端子１８ａ，１８ｂが新たに追加される。従って、制御回路４における接続端子の端子数は第一の実施の形態と同じであり、実用上好ましいものとなる。
【００７３】
上記実施の形態は、次に示すように変更することもできる。
・上記第一〜第三の実施の形態では、バッファ１７の出力電圧と、分圧抵抗Ｒ５，Ｒ６による分圧電圧とを第１，第２のソフトスタート信号とするものであったが、これに限定されるものではない。例えば、３つ以上の抵抗を直列接続した分圧回路を用い、各抵抗の接続点（分圧点）のいずれかの分圧電圧（第１分圧電圧）を第１のスタート信号とし、その分圧点とは異なる他の分圧点の分圧電圧（第２分圧電圧）を第２のスタート信号としてもよい。
【００７４】
・上記第一〜第三の実施の形態では、２チャネルＤＣ−ＤＣコンバータ１に具体化したが、これに限定されるものではなく、３チャネル以上のＤＣ−ＤＣコンバータに具体化してもよい。
【００７５】
・第二の実施の形態において、制御回路４に内蔵されている各抵抗Ｒ１〜Ｒ６を、第三の実施の形態と同様に制御回路４の外部に設けるようにしてもよい。
以上の様々な実施の形態をまとめると、以下のようになる。
（付記１）直流電圧である入力電圧を変換して電圧値の異なる出力電圧を出力するコンバータ部を複数備えたＤＣ−ＤＣコンバータの制御回路であって、
前記ＤＣ−ＤＣコンバータは、起動時において容量を定電流で充電し、その容量の充電電圧に応じたソフトスタート信号により、前記出力電圧を徐々に上昇させるソフトスタート機能を有するものであり、
前記容量が接続される容量接続端子と、
前記容量接続端子に接続され、前記容量に充電電流を供給するための定電流源と、
前記容量接続端子に接続され、前記容量の充電電圧、あるいは該充電電圧の分圧値に応じて複数のソフトスタート信号を生成する信号生成手段と
を備えたことを特徴とする制御回路。
（付記２）前記ＤＣ−ＤＣコンバータは、第１出力電圧を出力する第１コンバータ部と、該第１出力電圧よりも高い第２出力電圧を出力する第２コンバータ部とを有し、
前記信号生成手段は、前記容量の充電電圧を入力するバッファと、該バッファの出力電圧を分圧する分圧抵抗とからなり
前記第１出力電圧に応じた入力信号が入力されるとともに、前記バッファの出力が第１のソフトスタート信号として入力され、それら信号の電圧差を増幅して出力する第１の誤差増幅器と、
前記第２出力電圧に応じた入力信号が入力されるとともに、前記バッファの出力を前記分圧抵抗により分圧した分圧電圧が第２のソフトスタート信号として入力され、それら信号の電圧差を増幅して出力する第２の誤差増幅器と
を備えたことを特徴とする付記１に記載の制御回路。
（付記３）前記ＤＣ−ＤＣコンバータは、第１出力電圧を出力する第１コンバータ部と、該第１出力電圧よりも高い第２出力電圧を出力する第２コンバータ部とを有し、
前記信号生成手段は、前記容量の充電電圧を入力するバッファと、該バッファの出力電圧を分圧する分圧抵抗とからなり、
前記第１出力電圧に応じた入力信号が入力されるとともに、前記バッファの出力を前記分圧抵抗により分圧した分圧電圧が第１ソフトスタート信号として入力され、それら信号の電圧差を増幅して出力する第１の誤差増幅器と、
前記第２出力電圧に応じた入力信号が入力されるとともに、前記バッファの出力が第２のソフトスタート信号として入力され、それら信号の電圧差を増幅して出力する第２の誤差増幅器と
を備えたことを特徴とする付記１に記載の制御回路。
（付記４）前記ＤＣ−ＤＣコンバータは、第１出力電圧を出力する第１コンバータ部と、該第１出力電圧よりも高い第２出力電圧を出力する第２コンバータ部とを有し、
前記信号生成手段は、前記容量の充電電圧を入力するバッファと、該バッファの出力電圧を分圧して第１及び第２分圧電圧を生成する分圧抵抗とからなり、
前記第１出力電圧に応じた入力信号が入力されるとともに、前記分圧抵抗による第１分圧電圧が第１ソフトスタート信号として入力され、それら信号の電圧差を増幅して出力する第１の誤差増幅器と、
前記第２出力電圧に応じた入力信号が入力されるとともに、前記分圧抵抗による第２分圧電圧が第２のソフトスタート信号として入力され、それら信号の電圧差を増幅して出力する第２の誤差増幅器と
を備えたことを特徴とする付記１に記載の制御回路。
（付記５）直流電圧である入力電圧を変換して第１出力電圧を出力する第１コンバータ部と、
前記入力電圧を変換して第１出力電圧よりも高い第２出力電圧を出力する第２コンバータ部と、
容量を定電流で充電し、その容量の充電電圧に応じたソフトスタート信号に基づいて、前記第１及び第２出力電圧を徐々に上昇させる制御回路と
を備えるＤＣ−ＤＣコンバータであって、
前記制御回路は、
前記容量が接続される容量接続端子と、
前記容量接続端子に接続され、前記容量に充電電流を供給するための定電流源と、
前記容量接続端子に接続され、前記容量の充電電圧を入力するバッファと、
前記第１出力電圧に応じた入力信号が入力されるとともに、前記バッファの出力が第１のソフトスタート信号として入力され、それら信号の電圧差を増幅して出力する第１の誤差増幅器と、
前記第２出力電圧に応じた入力信号が入力されるとともに、前記バッファの出力を分圧抵抗により分圧した分圧電圧が第２のソフトスタート信号として入力され、それら信号の電圧差を増幅して出力する第２の誤差増幅器と
を備えたことを特徴とするＤＣ−ＤＣコンバータ。
（付記６）直流電圧である入力電圧を変換して第１出力電圧を出力する第１コンバータ部と、
前記入力電圧を変換して第１出力電圧よりも高い第２出力電圧を出力する第２コンバータ部と、
容量を定電流で充電し、その容量の充電電圧に応じたソフトスタート信号に基づいて、前記第１及び第２出力電圧を徐々に上昇させる制御回路と
を備えるＤＣ−ＤＣコンバータであって、
前記制御回路は、
前記容量が接続される容量接続端子と、
前記容量接続端子に接続され、前記容量に充電電流を供給するための定電流源と、
前記容量接続端子に接続され、前記容量の充電電圧を入力するバッファと、
前記第１出力電圧に応じた入力信号が入力されるとともに、前記バッファの出力を分圧抵抗により分圧した分圧電圧が第１のソフトスタート信号として入力され、それら信号の電圧差を増幅して出力する第１の誤差増幅器と、
前記第２出力電圧に応じた入力信号が入力されるとともに、前記バッファの出力が第２のソフトスタート信号として入力され、それら信号の電圧差を増幅して出力する第２の誤差増幅器と
を備えたことを特徴とするＤＣ−ＤＣコンバータ。
（付記７）直流電圧である入力電圧を変換して第１出力電圧を出力する第１コンバータ部と、
前記入力電圧を変換して第１出力電圧よりも高い第２出力電圧を出力する第２コンバータ部と、
容量を定電流で充電し、その容量の充電電圧に応じたソフトスタート信号に基づいて、前記第１及び第２出力電圧を徐々に上昇させる制御回路と
を備えるＤＣ−ＤＣコンバータであって、
前記制御回路は、
前記容量が接続される容量接続端子と、
前記容量接続端子に接続され、前記容量に充電電流を供給するための定電流源と、
前記容量接続端子に接続され、前記容量の充電電圧を入力するバッファと、
前記第１出力電圧に応じた入力信号が入力されるとともに、前記バッファの出力を分圧抵抗により分圧した第１分圧電圧が第１のソフトスタート信号として入力され、それら信号の電圧差を増幅して出力する第１の誤差増幅器と、
前記第２出力電圧に応じた入力信号が入力されるとともに、前記バッファの出力を分圧電圧により分圧した第２分圧電圧が第２のソフトスタート信号として入力され、それら信号の電圧差を増幅して出力する第２の誤差増幅器と
を備えたことを特徴とするＤＣ−ＤＣコンバータ。
（付記８）前記バッファの出力電圧を分圧する分圧抵抗を前記制御回路に内蔵したことを特徴とする付記５〜７のいずれかに記載のＤＣ−ＤＣコンバータ。
（付記９）前記バッファの出力電圧を分圧する分圧抵抗を前記制御回路の外部に設けたことを特徴とする付記５〜７のいずれかに記載のＤＣ−ＤＣコンバータ。
（付記１０）前記第１出力電圧を分圧することで前記第１の誤差増幅器への入力信号を生成する分圧抵抗と、前記第２出力電圧を分圧することで前記第２の誤差増幅器への入力信号を生成する分圧抵抗とを前記制御回路の外部に設けたことを特徴とする付記９に記載のＤＣ−ＤＣコンバータ。
（付記１１）直流電圧である入力電圧を変換して電圧値の異なる出力電圧を出力するＤＣ−ＤＣコンバータであって、
容量を定電流で充電し、その容量の充電電圧に応じたソフトスタート信号に基づいて、前記各出力電圧を徐々に上昇させる制御回路を備え、
該制御回路は、
前記容量が接続される容量接続端子と、
前記容量接続端子に接続され、前記容量に充電電流を供給するための定電流源と、
前記容量接続端子に接続され、前記容量の充電電圧、あるいは該充電電圧の分圧値に応じて複数のソフトスタート信号を生成する信号生成手段と
を備えたことを特徴とするＤＣ−ＤＣコンバータ。
（付記１２）直流電圧である入力電圧を変換して電圧値の異なる出力電圧を出力するＤＣ−ＤＣコンバータと、該ＤＣ−ＤＣコンバータの各出力電圧により動作する複数の内部回路とを搭載した電子機器であって、
前記ＤＣ−ＤＣコンバータは、容量を定電流で充電し、その容量の充電電圧に応じたソフトスタート信号に基づいて、前記各出力電圧を徐々に上昇させる制御回路を備え、
該制御回路は、
前記容量が接続される容量接続端子と、
前記容量接続端子に接続され、前記容量に充電電流を供給するための定電流源と、
前記容量接続端子に接続され、前記容量の充電電圧、あるいは該充電電圧の分圧値に応じて複数のソフトスタート信号を生成する信号生成手段と
を備えたことを特徴とする電子機器。
（付記１３）  前記ＤＣ−ＤＣコンバータは、電圧値の異なる第１及び第２出力電圧を出力するものであり、
前記信号生成手段は、前記容量の充電電圧を入力するバッファと、該バッファの出力電圧を分圧する分圧抵抗とからなり、
前記制御回路は、
前記第１出力電圧に応じた入力信号が入力されるとともに、前記バッファの出力が第１のソフトスタート信号として入力され、それら信号の電圧差を増幅して出力する第１の誤差増幅器と、
前記第２出力電圧に応じた入力信号が入力されるとともに、前記バッファの出力を前記分圧抵抗により分圧した分圧電圧が第２のソフトスタート信号として入力され、それら信号の電圧差を増幅して出力する第２の誤差増幅器と
を備えたことを特徴とする付記１２に記載の電子機器。
（付記１４）  前記ＤＣ−ＤＣコンバータは、電圧値の異なる第１及び第２出力電圧を出力するものであり、
前記信号生成手段は、前記容量の充電電圧を入力するバッファと、該バッファの出力電圧を分圧して第１及び第２分圧電圧を生成する分圧抵抗とからなり、
前記制御回路は、
前記第１出力電圧に応じた入力信号が入力されるとともに、前記分圧抵抗による第１分圧電圧が第１ソフトスタート信号として入力され、それら信号の電圧差を増幅して出力する第１の誤差増幅器と、
前記第２出力電圧に応じた入力信号が入力されるとともに、前記分圧抵抗による第２分圧電圧が第２のソフトスタート信号として入力され、それら信号の電圧差を増幅して出力する第２の誤差増幅器と
を備えたことを特徴とする付記１２に記載の電子機器。
【００７６】
【発明の効果】
以上詳述したように、本発明によれば、複数チャネルの出力電圧を出力するＤＣ−ＤＣコンバータにおいて、各出力電圧のソフトスタート時間を精度よく設定することができる。
【図面の簡単な説明】
【図１】本発明の原理説明図である。
【図２】第一の実施の形態を示す回路図である。
【図３】第二の実施の形態を示す回路図である。
【図４】ソフトスタート時間を説明するための説明図である。
【図５】第三の実施の形態を示す回路図である。
【図６】従来例を示す回路図である。
【図７】ＤＣ−ＤＣコンバータの動作波形図である。
【図８】ソフトスタート時間を説明するための説明図である。
【符号の説明】
１  ＤＣ−ＤＣコンバータ
２ａ，２ｂ  内部回路
４  制御回路
５ａ，５ｂ，５ｃ  コンバータ部
６  定電流源
７ａ  第１の誤差増幅器
７ｂ  第２の誤差増幅器
１３  容量接続端子としての接続端子
１７  信号生成手段を構成するバッファ
Ｃ  信号生成手段を構成する容量
Ｉｃｓ  充電電流としての定電流
Ｒ，Ｒ５，Ｒ６  分圧抵抗としての抵抗
Ｖｃ  充電電圧
ＶＩＮ  入力電圧
Ｖｏ１  第１出力電圧
Ｖｏ２  第２出力電圧
【図１】
2004173386.tif 000008
【図２】
2004173386.tif 000009
【図３】
2004173386.tif 000010
【図４】
2004173386.tif 000011
【図５】
2004173386.tif 000012
【図６】
2004173386.tif 000013
【図７】
2004173386.tif 000014
【図８】
2004173386.tif 000015